(57)【要約】【課題】リモコン機能設定内容が消えしまった時に、リモコンの機能設定を容易に行うこと。【解決手段】リモコン２０に設けた所定のボタン２４部を押下すると制御装置２２は機能して通信部２１を介して室内機１０とのデータの送受信を行い、室内機１０の記憶装置１３に記憶されている設定内容をリモコン２０の内部に設けられた記憶装置２３にアクセスすることで容易に機能設定することが可能になる。その結果、リモコン２０で使用者が設定されている機能設定が消えた場合でも容易に使用者が設定されていた設定内容を呼び出し設定させることとなる。【選択図】図１
2008122027.tif 000002
【特許請求の範囲】
【請求項１】
データの送受信を行う第一の送受信部と、前記データを記憶する第一の記憶装置と、前記第一の送受信部と前記第一の記憶装置とを制御する第一の制御装置を設けたリモコンと、前記リモコンとの前記データの送受信を行う第二の送受信部と、前記データを記憶する第二の記憶装置と、前記第二の送受信部と前記第二の記憶装置とを制御する第二の制御装置とを本体に設けた空気調和機であって、前記リモコンに設けた所定のボタンを押下した時に前記第二の記憶装置のデータを前記第一の記憶装置に記憶させることを特徴とする空気調和機。
【請求項２】
前記第二の送受信部と前記データを記憶する第二の記憶装置と前記第二の送受信部と前記第二の記憶装置とを制御する第二の制御装置とを本体に設けた空気調和機の前記データを記憶する第二の記憶装置の記憶内容は少なくとも、ユーザによって設定可能な機能とすることを特徴とする請求項１に記載の空気調和機。
【請求項３】
前記第二の記憶装置のデータを前記第一の記憶装置に送信するタイミングは、前記リモコンに設けた所定のボタンを数秒間押下し、前記リモコンが要求受信した時に前記第一の記憶装置に記憶させることを特徴とする請求項１又は２に記載の空気調和機。
【発明の詳細な説明】
【技術分野】
【０００１】
本発明は、動作設定等を通信可能な状態に設けられたリモコンから行うことのできる空気調和機に関するものである。
【背景技術】
【０００２】
室内機等の動作設定をリモートコントローラ（以下、単に「リモコン」と略称する。）から設定することのできる空気調和機が知られている。一般に、リモコンは機種が異なると、リモコンの機能も異なる。従来では、空気調和機のリモコンの電池交換したときは、使用者が機能設定されていた設定内容が消えてしまい再設定が行われる。
【０００３】
その他には、リモコンの機能設定内容を機能情報として室内機に与えておく。室内機ではリモコンから機能情報を受け取ると、それをそのまま記憶装置に記憶しておく。室内機は記憶装置に記憶している機能情報をリモコンに送信する時は、室内機の電源投入時とし、リモコンは室内機から機能情報を受信すると、その機能情報に示される機能設定の内容を自身に反映させる。この結果、室内機の電源投入前にリモコンが交換されていた場合であっても、交換後のリモコンが交換前のリモコンの設定内容で動作することとしているものもある（例えば、特許文献１参照）。
【特許文献１】特開２００２−１３０７８２号公報
【発明の開示】
【発明が解決しようとする課題】
【０００４】
しかしながら、前記従来の構成では、リモコンの電池交換時は、使用者が設定されていた機能設定に再設定を行うという手間がかかり、使用性に問題がある。また、リモコンに設定内容を記憶させる方法として不揮発性メモリを搭載することはできるが、コストアップの要因となる等の問題もある。また、室内機は記憶装置に記憶している機能情報をリモコンに送信する時は、室内機の電源投入時としているため、運転中にリモコンの設定内容が消えてしまった場合は、室内機が記憶している設定内容をリモコンで呼び出すことができない。また、室内機で記憶している設定内容をリモコンに呼び出すために、運転を停止し、再度  室内機の電源投入を行いリモコンに送信要求をしなければならない課題を有していた。
【０００５】
本発明は、上記の課題を解決するものであり、容易にリモコンの機能設定を行うことのできる空気調和機を提供することを目的とするものである。
【課題を解決するための手段】
【０００６】
前記従来の課題を解決するために、本発明の空気調和機は、データの送受信を行う第一の送受信部と、データを記憶する第一の記憶装置と、第一の送受信部と第一の記憶装置とを制御する第一の制御装置を設けたリモコンと、リモコンとのデータの送受信を行う第二の送受信部と、データを記憶する第二の記憶装置と、第二の送受信部と第二の記憶装置とを制御する第二の制御装置とを本体に設けた空気調和機であって、リモコンに設けた所定のボタンを押下した時に第二の記憶装置のデータを第一の記憶装置に記憶させるというものである。
【０００７】
本構成とすることで、リモコンで使用者が設定されている機能設定が消えてしまった場合でも、リモコンに設けた所定のボタンを押下することで容易に要求することができるので、データを記憶する第二の記憶装置のデータを第一の記憶装置に記憶させることができ、使用者が容易に機能設定を行うことが可能となる。
【発明の効果】
【０００８】
本発明の空気調和機は、上記した構成により、使用性を向上するため、リモコンの機能設定が容易にできるように、リモコンに設けた所定のボタンを押下することで室内機の記憶データをリモコンに容易に呼び出し機能設定させることができる。
【０００９】
その結果、使用者の好みで設定されている機能設定が消えた場合でも、設定内容を呼び出すことで、容易に機能設定が可能となる。
【発明を実施するための最良の形態】
【００１０】
第１の発明は、データの送受信を行う第一の送受信部と、前記データを記憶する第一の記憶装置と、前記第一の送受信部と前記第一の記憶装置とを制御する第一の制御装置を設けたリモコンと、前記リモコンとの前記データの送受信を行う第二の送受信部と、前記データを記憶する第二の記憶装置と、前記第二の送受信部と前記第二の記憶装置とを制御する第二の制御装置とを本体に設けた空気調和機であって、前記リモコンに設けた所定のボタンを押下した時に前記第二の記憶装置のデータを前記第一の記憶装置に記憶させるものである。
【００１１】
第２の発明は、前記第二の送受信部と前記データを記憶する第二の記憶装置と前記第二の送受信部と前記第二の記憶装置とを制御する第二の制御装置とを本体に設けた空気調和機の前記データを記憶する第二の記憶装置の記憶内容は少なくとも、ユーザによって設定可能な機能とするものである。
【００１２】
第３の発明は、前記第二の記憶装置のデータを前記第一の記憶装置に送信するタイミングは、前記リモコンに設けた所定のボタンを数秒間押下し、前記リモコンが要求受信した時に前記第一の記憶装置に記憶させるものである。
【００１３】
以下、本発明を実施するための最良の形態について、図面を参照しながら説明する。
【００１４】
（実施の形態１）
図１は、本発明の実施の形態１における室内機１０とリモコン２０を備えた空気調和機を示すブロック図である。
【００１５】
図１において、室内機１０は室内の温度等を目標値になるように動作制御する。リモコン２０は有線又は無線で室内機１０と相互通信可能な状態に設けられ、通常運転時においてリモコン２０は操作された内容（目標値等）を室内機１０に送信することで、室内機１０の運転状態の設定変更等を行うことができる。
【００１６】
室内機１０は通信部１１と制御装置１２と記憶装置１３とを備えている。なお、これら以外にもファン等の空気調和を行うための機構が設けられることは勿論であるが図１での図示は省略している。
【００１７】
通信部１１はリモコン２０とデータの送受信を行うためのものであり、制御装置１２は室内機１０の空調機構の制御を行う。記憶装置１３は制御装置１２によってデータの記憶、記憶データの読み出し、記憶データの消去が制御される記憶手段であり、電気的消去可能な不揮発性メモリである。
【００１８】
記憶装置１３には室内機１０を制御するための制御パラメータが記憶される領域が確保されるとともに、リモコン２０より受信するデータを記憶するための記憶領域も確保される。また、記憶装置１３に記憶された内容は、室内機１０の電源がオフされた場合でも消
滅することはない。
【００１９】
リモコン２０は通信部２１と制御装置２２と記憶装置２３とボタン部２４を備えており、通信部２１は室内機１０とデータの送受信を行う。また、制御装置２２はリモコン２０における各機能の設定を行う。また、所定のボタン部２４を押下し設定を行った時、制御装置２２は機能して、通信部２１を介して室内機１０とのデータの送受信を行い、室内機１０の記憶装置１３に記憶されている設定内容をリモコン２０の内部に設けられた記憶装置２３にアクセスすることができる。記憶装置２３は、室内機１０の記憶装置１３のような不揮発メモリではないため、電池交換等で設定内容が消えてしまう。
【００２０】
上記の構成において、リモコン２０は各機能の設定を行った場合、設定内容を記憶内容として室内機１０に対して送信する。この送信のタイミングは、制御装置２２が機能して、リモコン２０の機能設定を新たに設定した場合や変更した場合である。
【００２１】
この設定内容を室内機１０の記憶装置１３に記憶される。記憶装置１３の記憶内容は使用者が設定可能な機能とし、例えばマニュアル操作等によって設定される機能がある。
【００２２】
また、室内機１０の記憶装置１３に記憶されている機能設定内容をリモコン２０の記憶装置２３に送信するタイミングは、リモコン２０に設けた所定のボタン２４を数秒間、押下すると制御装置２２は機能して通信部２１を介して室内機１０とのデータの送受信を行い、室内機１０の記憶装置１３に記憶されている設定内容をリモコン２０の内部に設けられた記憶装置２３にアクセスすることで容易に機能設定することが可能になる。
【００２３】
以上のように、リモコンの機能設定が容易にできるように、リモコンに設けた所定のボタンを押下することで室内機の記憶データをリモコンに容易に呼び出し機能設定させることができる。
【００２４】
その結果、使用者の好みで設定されている機能設定が消えた場合でも、設定内容を呼び出すことで、容易に機能設定が可能となり、使用性を向上させた空気調和機を提供することができる。
【産業上の利用可能性】
【００２５】
以上のように、本発明にかかる空気調和機は、壁掛け用の空気調和機だけでなく、天井埋め込み型の空気調和機でも同様の効果を得ることができる。
【図面の簡単な説明】
【００２６】
【図１】本発明の実施の形態１における空気調和機の構成を示すブロック図
【符号の説明】
【００２７】
１０  室内機
１１  通信部
１２  制御装置
１３  記憶装置
２０  リモコン
２１  通信部
２２  制御装置
２３  記憶装置
２４  ボタン部
【図１】
2008122027.tif 000003